(57)【要約】      （修正有）【課題】板紙や繊維ボードなどの比較的厚くて硬いシート材を２枚用い、一方を他方の貫通孔に差し込むだけで容易に組み立てできる卓上カレンダーを提供する。【解決手段】重合したカレンダー台紙群２の重みで変形しない比較的厚くて硬いシート材からなり、カレンダー台紙の凭れ掛け材３と受け止め材４とを有し、凭れ掛け材または受け止め材の一方に横長の貫通孔を設け、その他方を該貫通孔に差し込むことにより、側面から見ると交差状に凭れ掛け材と受け止め材とを配置し、且つ受け止め材の前方部には上方へ折り曲げた縁取り部が形成されている。【選択図】図１
0003130922.tif 000002
【実用新案登録請求の範囲】
【請求項１】
重合したカレンダー台紙群の重みで変形しない比較的厚くて硬いシート材からなる卓上カレンダーであって、カレンダー台紙の凭れ掛け材と受け止め材とを有し、凭れ掛け材または受け止め材の一方に横長の貫通孔を設け、その他方を該貫通孔に差し込むことにより、側面から見ると交差状に凭れ掛け材と受け止め材とを配置し、且つ受け止め材の前方部には上方へ折り曲げた縁取り部が形成され、その縁取り部の背面と凭れ掛け材の前面との間にカレンダー台紙群を載置して安定支持する卓上カレンダー。
【請求項２】
凭れ掛け材と受け止め材が、焼却可能な板紙、繊維ボード、ボール紙、木材またはプラスチックシートからなる請求項１記載の卓上カレンダー。
【請求項３】
横長の貫通孔の縦内寸は、凭れ掛け材または受け止め材の厚みよりもわずかに大きく、横長の貫通孔に差し込む受け止め材または凭れ掛け材には、その前方部または下方部において貫通孔近傍の表面と当接する段部を形成する請求項１記載の卓上カレンダー。
【請求項４】
配布時には受け止め材は平坦であり、使用時に受け止め材の前方部を金属シート片とともに上方へ折り曲げて縁取り部を形成させ、該縁取り部を金属シート片で安定化させる請求項１記載の卓上カレンダー。
【請求項５】
連絡票群および／またはカレンダー台紙群の重みで変形しない比較的厚くて硬いシート材からなる卓上の連絡票スタンドであって、連絡票の凭れ掛け材と受け止め材とを有し、凭れ掛け材の下方に横長の貫通孔を設け、受け止め材の後方部を該貫通孔に差し込むことにより、側面から見ると交差状に凭れ掛け材と受け止め材とを配置し、且つ受け止め材の前方部には上方へ折り曲げた縁取り部が形成され、その縁取り部の背面と凭れ掛け材の前面との間に連絡票群および／またはカレンダー台紙群を置いて表示できる卓上の連絡票スタンド。
【考案の詳細な説明】
【技術分野】
【０００１】
本考案は、板紙や繊維ボードなどの比較的厚くて硬いシート材を２枚用い、一方を他方の貫通孔に差し込むだけで容易に組み立てできる卓上カレンダーに関する。
【背景技術】
【０００２】
卓上カレンダーは、企業が年末にＰＲ用で配布することが多く、カレンダー台紙群を載置するスタンドは主として安価なプラスチックシート１枚を折り曲げて組み立てている。従来の卓上カレンダーにおいて、薄い矩形プラスチックシートは上辺を除いた三辺が前方へ断面Ｕ字形に折り曲げられ、これによってカレンダー台紙群のスタンドを形成し、一方、シート中央部に脚板用と支え板用の曲線状の切り込みを設ける。卓上カレンダーの組み立て時に、シートの脚板部と支え板部を引き起こすと、比較的安定した立脚状のスタンドとなる。
【０００３】
薄い矩形プラスチックシートでスタンドを形成する場合、該シートが薄すぎるとカレンダー台紙群を安定して保持することができず、該シートが厚すぎると脚板部と支え板部が引き起こしにくくなる。最終的には、脚板部と支え板部の引き起こし易さを優先するため、プラスチックシートはスタンドとして薄くなり、カレンダー台紙群を安定して保持できないことがある。また、プラスチックシートは、１年経過後に廃棄する際に不燃物として分別することを要し、不要書類などとまとめて廃棄すると環境を汚染するおそれがある。
【０００４】
プラスチックの廃棄による環境汚染を回避するために、特開２００１−２６０５６８号、特開２００２−１４４７６３号、特開２００４−５８４７８号、特開２００５−１６１６６２号、特開２００５−３２３６２５号などにおいて、紙製である卓上カレンダーが数多く提案されている。これらは、いずれも接着剤を使用することなく、紙シートの折り畳みだけで卓上カレンダーを組み立てている。
【特許文献１】特開２００１−２６０５６８号公報
【特許文献１】特開２００２−１４４７６３号公報
【特許文献１】特開２００４−５８４７８号公報
【特許文献１】特開２００５−１６１６６２号公報
【特許文献１】特開２００５−３２３６２５号公報
【考案の開示】
【考案が解決しようとする課題】
【０００５】
特開２００１−２６０５６８号および特開２００２−１４４７６３号に開示の卓上カレンダーは、Ｕ字形に折り曲げた紙シ−トでカレンダー全体を支えるため、卓上に置いた際の安定性が問題である。また、紙製の卓上カレンダーについて、硬くて厚い板紙を使用すると複雑な折り曲げが困難になってしまう。特開２００４−５８４７８号、特開２００５−１６１６６２号、特開２００５−３２３６２５号では、比較的薄い紙シートを用いて折り曲げることを要し、薄い紙シートであると卓上カレンダーの耐久性が十分でなく、該カレンダーの使用期間中に変形するおそれがある。
【０００６】
さらに、特開２００１−２６０５６８号に開示の卓上カレンダーは、表示体のカレンダー台紙を入れ替える際に、挟持体ごとＵ字形支持体から引き出すことを要するので不便である。特開２００２−１４４７６３号に開示の卓上カレンダーは、二つ折りした複数枚の表示体を支持体の舌片だけで支えるので、該表示体が揺動したり，舌片から外れやすい。特開２００４−５８４７８号に開示の卓上カレンダーは、カレンダー台紙を入れ替える際に、その台紙を横方向へ引き出すことを要するので不便である。特開２００５−１６１６６２号や特開２００５−３２３６２５号に開示の卓上カレンダーは、枠板部の両側フラップを背板部と脚板部との間に差し込んで組み立てるだけであるので、カレンダー台紙を入れ替える際などに外力が作用すると、組み立てが分離してしまうおそれがある。
【０００７】
本考案は、従来の卓上カレンダーに関する前記の問題点を改善するために提案されたものであり、組み立てが非常に容易であって、しかも耐久性が良好な卓上カレンダーを提供することを目的としている。本考案の他の目的は、折り曲げが殆ど必要なく、廃棄時に焼却処分が可能である卓上カレンダーを提供することである。本考案の別の目的は、組み立て前の部品は平坦であるので、平らな封筒に入れて配布できる卓上カレンダーを提供することである。本考案のさらに別の目的は、卓上カレンダーとしてだけでなく、各種の連絡票を支持して表示できる卓上の連絡票スタンドを提供することである。
【課題を解決するための手段】
【０００８】
本考案に係る卓上カレンダーは、重合したカレンダー台紙群の重みで変形しない比較的厚くて硬いシート材からなる。本考案の卓上カレンダーは、カレンダー台紙の凭れ掛け材と受け止め材とを有し、凭れ掛け材または受け止め材の一方に横長の貫通孔を設け、その他方を該貫通孔に差し込むことにより、側面から見ると交差状に凭れ掛け材と受け止め材とを配置し、且つ受け止め材の前方部には上方へ折り曲げた縁取り部が形成され、その縁取り部の背面と凭れ掛け材の前面との間にカレンダー台紙を置いて安定支持する。
【０００９】
本考案の卓上カレンダーでは、凭れ掛け材と受け止め材が、焼却可能な板紙、繊維ボード、ボール紙、木材またはプラスチックシートからなると好ましい。また、横長の貫通孔の縦内寸は、凭れ掛け材または受け止め材の厚みよりもわずかに大きく、横長の貫通孔に差し込む受け止め材または凭れ掛け材には、その前方部または下方部において貫通孔近傍の表面と当接する段部を形成する。本考案の卓上カレンダーにおいて、配布時には受け止め材は平坦であり、使用時に受け止め材の前方部を金属シート片とともに上方へ折り曲げて縁取り部を形成させ、該縁取り部を金属シート片で安定化させると好ましい。
【００１０】
本考案に係る卓上の連絡票スタンドは、連絡票群および／または連絡票群の重みで変形しない比較的厚くて硬いシート材からなる。本考案の連絡票スタンドは、連絡票の凭れ掛け材と受け止め材とを有し、凭れ掛け材の下方に横長の貫通孔を設け、受け止め材の後方部を該貫通孔に差し込むことにより、側面から見ると交差状に凭れ掛け材と受け止め材とを配置し、且つ受け止め材の前方部には上方へ折り曲げた縁取り部が形成され、その縁取り部の背面と凭れ掛け材の前面との間に連絡票群および／またはカレンダー台紙群を置いて表示できる。
【００１１】
本考案を図面によって説明すると、本考案の卓上カレンダー１は、カレンダー台紙群２を支持するシート状の凭れ掛け材３および受け止め材４とで構成するスタンド５を備える。図示する卓上カレンダー１は、正面から見ると横長の形状であるが、これを正方形の正面形状にすることも可能である。また、所望に応じて、縦長、半円形、三角形や六角形の多角形などの正面形状を有する卓上カレンダーにすることも可能である。
【００１２】
凭れ掛け材３および受け止め材４は、通常、板紙、中密度または高密度の繊維ボード、ボール紙または木材からなり、プラスチックシートを用いるならば、焼却可能な硬質のポリオレフィン系であることが望ましい。凭れ掛け材３および受け止め材４は、通常、厚さ２〜５ｍｍの厚い素材からなり、カレンダー台紙群２や複数枚の連絡票２０の重みで変形しない厚さを有することを要する。
【００１３】
凭れ掛け材３と受け止め材４とは、組み立て時に側面から見ると交差状に配置されていればよい。このため、図２では凭れ掛け材３の下方部に横長の貫通孔７を設けるけれども、この貫通孔は受け止め材４に設けることも可能であり、後者の場合には凭れ掛け材に段部を形成すればよい。受け止め材４に貫通孔を設けた際には、該受け止め材が下方へずり落ちやすいので、一般に凭れ掛け材３の傾斜角度を若干大きくすることが必要である。
【００１４】
受け止め材４は、図３に示すように配布時には横長の平坦な形状であっても、または図６に示すようにあらかじめ直角に折り曲げた縁取り部が形成されていてもよい。受け止め材４は、比較的広幅の前方部１２と比較的幅狭の後方部１０とからなり、前方部１２と後方部１０との間に段部１３が形成される。受け止め材４において、前方部１２の横幅は凭れ掛け材３のそれとほぼ等しく、後方部１０は前方部１２に比べて縦方向にかなり長く定める（図４参照）。後方部１０を長くするほど、凭れ掛け材３の傾斜角度が大きくなって直角に近づくのでカレンダー台紙群２が見やすくなる。
【００１５】
図３に示す受け止め材４の前方部１２は、折曲線１４によって縁取り部６と受け本体部１６とに分けられ、該受け本体部は幅が３〜７ｍｍ程度であれば、少なくとも６枚のカレンダー台紙群２および複数枚の連絡票２０を安定保持できる。図３において、折曲線１４は、板紙、ボール紙やプラスチックシートの場合には、受け止め材４を直線状の型でプレスして加圧変形したり、その裏面にカッターで直線状に切り溝を設けて形成すればよい。また、より硬い繊維ボードや木材の場合には、縁取り部６と受け本体部１６をあらかじめ分離しておき、両者を金属シート片１８，１８などで接続しておいてもよい。前方部１２において、組み立て時に折曲線１４に沿って縁取り部６を直角に曲げ、直角配置の縁取り部６を形成することが容易である。
【００１６】
縁取り部６は、図３に示すような矩形平面であっても、素材が板紙やボール紙である場合には、図１に示すような突出部２１を形成する変形抜きを行ってもよい。突出部２１の表面には、図示のような動物イラストや企業マークなどを印刷すると商品価値を高めることができる。
【００１７】
図３に示す受け止め材４では、その表面に薄い金属シート片１８，１８を少なくとも折曲線１４に跨るように接着する。金属シート片１８は、比較的曲げやすいアルミ板、鉄板または銅板などであればよく、折り曲げた縁取り部６を補強して屈曲状態を維持させるために取り付ける。金属シート片１８は、図示のような少なくとも１対の小型矩形板であっても、前方部１２の全面に接着する大きさなどでもよい。金属シート片１８は、図示のような１対の矩形板または１枚の長寸板であり、接着のほかにリベットや鳩目で受け止め材４に固着することも可能である。金属シート片１８に折曲線１４と合致する凹み線、細溝や折線を形成しておくと、該金属シート片を曲げやすくなるので好ましい。
【００１８】
凭れ掛け材３と受け止め材４で構成するスタンド５では、差し込んだカレンダー台紙群２などを上方へ引き出すだけで容易に交換できる。このため、図５に示す連絡票２０を単独またはカレンダー台紙群２とともにスタンド５に差し込んで使用することができる。連絡票２０は、単独で使用する場合には、図５に示すような「食事中」、「外出中」、「休暇中」だけでなく、より多くの連絡事項のものを作成すると好ましい。各連絡票２０には、例えば「食事中」、「外出中」、「休暇中」などをそれぞれ表示し、スタンド５から取り出しやすいように上辺にタブ２２を設けておく。これらの連絡票２０は、使用しないときはカレンダー台紙群２より後方に載置し、使用時にはカレンダー台紙群２より前に置いて視認できるようにする。
【考案の効果】
【００１９】
本考案に係る卓上カレンダーは、素材が板紙、繊維ボード、ボール紙または木材のような厚くて硬いシート材を使用すると耐久性が良好であり、使用期間中に変形したり破損することがないうえに、環境を汚染することなく廃棄時に焼却処分が可能である。本考案の卓上カレンダーは、折り曲げが殆ど必要なく、凭れ掛け材または受け止め材の一方に横長の貫通孔を設け、その他方を該貫通孔に差し込むだけで組み立てが完了するから、誰でも容易に組み立てて月別カレンダーとして使用できる。
【００２０】
本考案の卓上カレンダーは、組み立て前の部品はすべて平坦であるので，平らな封筒に入れて配布でき、サービス品として安価に郵送することが可能である。また、本考案は、カレンダー台紙群だけを上方へ引き出して交換できるため、単に卓上カレンダーとして使用するだけでなく、各種の連絡票を単独またはカレンダー台紙群とともに支持させて表示できる卓上の連絡票スタンドとしても使用できる。
【考案を実施するための最良の形態】
【００２１】
次に、本考案を実施例に基づいて説明すると、図１に本考案に係る卓上カレンダー１を示す。卓上カレンダー１は、カレンダー台紙群２を支持するシート状の凭れ掛け材３と
受け止め材４とで構成するスタンド５を備え、該受け止め材の前方部に直角の縁取り部６を形成している。
【００２２】
凭れ掛け材３および受け止め材４は、厚さ２〜３ｍｍの板紙からなり、この板紙はカレンダー台紙群２の重みで変形しない厚さである。凭れ掛け材３は、図２に示すように縦６５×横１８０ｍｍの平坦な長方形平面を有し、その下方部に横長の貫通孔７を下辺８と平行に設ける。貫通孔７において、その縦内寸は受け止め材４の厚みよりもわずかに大きく、その横内寸は受け止め材４の後方部１０の横幅よりもわずかに大きくなるように１５０ｍｍに定める。
【００２３】
受け止め材４は、図３に示すように、配布時には横長の平坦な形状であり、比較的広幅の前方部１２と比較的幅狭の後方部１０とからなり、前方部１２と後方部１０との間に段部１３が形成される。受け止め材４において、前方部１２の横幅は凭れ掛け材３のそれと等しい１８０ｍｍおよび縦長さは２０ｍｍである。一方、後方部１０は、横幅１４５ｍｍで縦方向に５０ｍｍの長さを有し、前方部１２に比べて縦方向にかなり長く定める（図４参照）。
【００２４】
前方部１２は、裏面に形成した折曲線１４によって縁取り部６と受け本体部１６とに分けられ、その表面に金属シート片１８，１８を少なくとも折曲線１４に跨るように接着剤で貼り付ける。矩形状平面の金属シート片１８は、比較的曲げやすい薄いアルミ板であればよく、折り曲げた縁取り部６を補強して屈曲した状態を維持する。金属シート片１８には、折曲線１４と合致する凹み線を形成しておくと曲げやすくなるので好ましい。
【００２５】
折曲線１４は、前方部１２において前辺１９と平行に両側縁間に延設され、前辺１９から１５ｍｍの距離を有する。折曲線１４の個所は、前方部１２の厚みよりも浅いことにより、組み立て時に折曲線１４に沿って縁取り部６を直角に曲げることが容易である（図４参照）。折曲線１４は、受け止め材４を直線状の型で加圧変形することで形成しても、その裏面にトムソンカッターなどで直線状に切り溝を設けて形成してもよい。
【００２６】
折曲線１４を切り溝で形成する場合には、受け止め材４の表面に透明フィルム（図示しない）を貼着しておくと好ましい。表面に透明フィルムを貼った受け止め材４について、トムソンカッターによるハーフカットで切り溝を形成すれば、このハーフカットによって透明フィルム自体は切断されないので、該フィルムが縁取り部６を直角に曲げた際に該縁取り部を補強することになる。
【００２７】
図５には、カレンダー台紙群２とともにスタンド５に差し込む連絡票２０を例示する。連絡票２０は、タブ２２を除いてカレンダー台紙と実質的に同じ平面形状であり、例えば、「食事中」、「外出中」、「休暇中」などを表示し、スタンド５から取り出しやすいように上辺にタブ２２を設けている。これらの連絡票２０は、使用しないときはカレンダー台紙群２より後方に載置し、使用時にはカレンダー台紙群２より前で視認できるように載置する。
【００２８】
卓上カレンダー１を組み立てる際には、図４に示すように、受け止め材４における縁取り部６を折曲線１４に沿って上方へ折り曲げ、同時に折り曲げた金属シート片１８によって縁取り部６を直角の状態に維持させる。次に、受け止め材４の後方部１０を凭れ掛け材３の貫通孔７に差し込み、受け止め材４の段部１３を凭れ掛け材３の表面と当接させる。この結果、図４に示すように、側面から見ると凭れ掛け材３と受け止め材４とが交差状に配置され、凭れ掛け材３は後方へやや傾いた状態になる。カレンダー台紙群２および／または連絡票２０は、受け止め材４の縁取り部６の背面と凭れ掛け材３の前面との間に載置し、これらを安定支持する。
【００２９】
卓上カレンダー１において、カレンダー台紙群２および連絡票２０はもとより、使用前には凭れ掛け材３および受け止め材４も平坦であるので、部品一式を平らな封筒に入れて配布できる。この種のサービス品は安価であることが肝要であるから、比較的高価な収納箱が不必要になることも重要である。
【００３０】
図６は本考案の変形例を示し、受け止め材２６および凭れ掛け材（図示しない）は繊維ボードからなる。厚さ５ｍｍの受け止め材２６は、比較的広幅の前方部２８と比較的幅狭の後方部３０とからなり、前方部２８と後方部３０との間に段部３２が形成される。後方部３０は、前方部２８に比べて縦方向にかなり長く定める。
【００３１】
前方部２８はＬ字形側面を有し、水平配置の縁取り部３４が受け本体部２８に接着剤で直角に固着されている。縁取り部３４は、縦１８×横１８０ｍｍの帯板状であり、縦５×横１８０ｍｍの受け本体部２８の前端面に接着している。
【００３２】
この卓上カレンダーを組み立てるには、受け止め材２６の後方部３０を凭れ掛け材の貫通孔に差し込み、受け止め材２６の段部３２を凭れ掛け材の表面と当接させるだけである。この結果、側面から見ると凭れ掛け材と受け止め材２６とが交差状に配置され、該凭れ掛け材は後方へやや傾いた状態になる。この卓上カレンダーでは、受け止め材２６が平坦でないので、部品一式を紙箱に入れて配布することになる。この卓上カレンダーは、組み立てがより簡単である反面、前記の実施例に比べて収納箱の費用分だけ高価になる。
【図面の簡単な説明】
【００３３】
【図１】本考案に係る卓上カレンダーを示す斜視図である。
【図２】本考案で用いる凭れ掛け材の平面図である。
【図３】本考案で用いる受け止め材の平面図である。
【図４】卓上カレンダーの一例を示す側面図である。
【図５】（１）から（３）は本考案で用いる連絡票を例示する平面図である。
【図６】本考案の変形例を示す受け止め材の（１）平面図と（２）正面図である。
【符号の説明】
【００３４】
１    卓上カレンダー
２    カレンダー台紙群
３    凭れ掛け材
４    受け止め材
５    スタンド
６    縁取り部
７    横長の貫通孔
１０    受け止め材の後方部
１２    受け止め材の前方部
１３    受け止め材の段部
１４    折曲線
１８，１８    金属シート片
【図１】
0003130922.tif 000003
【図２】
0003130922.tif 000004
【図３】
0003130922.tif 000005
【図４】
0003130922.tif 000006
【図５】
0003130922.tif 000007
【図６】
0003130922.tif 000008